(57)【特許請求の範囲】
【請求項１】
空気吸込口および空気吹出口が形成された内側カバーを有し、単独で空気清浄機として機能する機器本体と、
前記空気吸込口および前記空気吹出口に対応する開口が形成されると共に、当該空気清浄機の外観を決定する外側カバーとを備え、
前記外側カバーは、前記内側カバーの外側に装着されると共に、前記機器本体に対して着脱自在に設けられ、
前記機器本体は、
当該機器本体の下部に配置され、前記空気吸込口から空気を吸い込む送風部と、
前記送風部にて吸い込まれた空気を当該機器本体の上部に位置する前記空気吹出口へと導く風路と、
前記風路に面して配され、空気を浄化する活性種あるいは前記活性種を生成させるイオンを発生させる活性種発生部と、
前記風路に面して配され、前記活性種発生部にて発生された活性種あるいはイオンを検出する検出部と、を備え、
前記送風部は、空気の出口が当該空気清浄機の背面寄りに位置するように配置され、
前記風路は、前記送風部の出口から前記空気吹出口へと至る部分が当該空気清浄機の背面側から正面側に向かって傾斜し、
前記風路の傾斜した部分の正面側に前記活性種発生部が配置され、
前記風路の傾斜した部分の背面側に前記検出部が配置されている、ことを特徴とするポータブル型空気清浄機。
【請求項２】
前記外側カバーは分割されており、
該分割したカバー同士で前記機器本体を挟み込むと共に、該分割したカバー同士を係合させることで、前記外側カバーが前記機器本体に装着されることを特徴とする請求項１に記載のポータブル型空気清浄機。
【請求項３】
前記外側カバーは上下に分割され、分割された下側のカバーに前記空気吸込口に対応した開口が形成されていることを特徴とする請求項２に記載のポータブル型空気清浄機。
【請求項４】
前記空気吸込口は前記機器本体の天面における、当該空気清浄機の正面寄りに位置し、
前記機器本体の天面が、当該空気清浄機の背面側から正面側に向かうにつれて低くなるように傾斜していることを特徴とする請求項１から３の何れか１項に記載のポータブル型空気清浄機。
【発明の詳細な説明】
【技術分野】
【０００１】
本発明は、空気浄化作用を有する活性種を含む空気あるいは活性種を生成するイオンを空間に供給して、該空間の空気を浄化する空気清浄機に関し、より詳細には、持ち運び可能なポータブル型空気清浄機に関する。
【背景技術】
【０００２】
空気浄化作用を有する活性種を発生する、あるいは該活性種を生成するイオンを発生する活性種発生装置を備えた空気清浄機が種々提案されおり、車に持ち込んだりして使用できるポータブル型空気清浄機も提案されている。
【０００３】
例えば、特許文献１には、活性種を生成する正イオンと負イオンの一方またはその両方を発生させるイオン発生装置（活性種発生装置）を有し、ドリンクホルダーに設置可能な車載用空気清浄機が開示されている。また、特許文献２には、オゾンを発生させるオゾン発生器（活性種発生装置）を有する、ドリンクホルダーに設置する縦置きの他、寝かせた横置きも可能な空気調和機（空気清浄機）が開示されている。
【先行技術文献】
【特許文献】
【０００４】
【特許文献１】特開２００５−９６４９９号公報（２００５年４月１４日公開）
【特許文献２】特開２０１５−１４１００号公報（２０１５年８月３日公開）
【発明の概要】
【発明が解決しようとする課題】
【０００５】
ところで、従来、小型の電子機器では、通所、部品点数の削減やスペース効率の関係から、外観デザインを決める筐体（キャビネット）の内側の面に、機器本来の性能を確保するための内部部品の役割を担う構造を設けることが行われている。特に、上記したようなポータブル型空気清浄機においては、そのサイズを確保するために、筐体は外観のみならず内部構造も担うように構成されているのが一般的である。
【０００６】
しかしながら、このような従来構成では、製品のマイナーチェンジを行うべく外観を新しくしようとしても、筐体が性能を司る内部部品の役割も担っているために、簡単には変更できず、その都度、性能そのものから評価を行う必要がある。そのため、マイナーチェンジで設計要素を減らして新製品を発売する、という本来の目的を果たせないことが多く、結果として、色の変更や、塗装等の加飾に留まらざるを得ないことも多い。
【０００７】
また、通常は、ユーザが筐体と内部部品とを分離するといったことが簡単には行えず、ユーザが簡単に筐体を交換できるようにはなっていない。しかし、筺体をユーザ自ら交換できれば、ユーザ好みの外観に交換することも可能になる。
【０００８】
本願発明は、このような課題に鑑みなされたもので、その目的は、マイナーチェンジを容易に行うことができると共に、ユーザ側で外観を変更することができる、ポータブル型空気清浄機を提供することにある。
【課題を解決するための手段】
【０００９】
本発明の一態様に係るポータブル型空気清浄機は、上記課題を解決するために、空気吸込口および空気吹出口が形成された内側カバーを有し、単独で空気清浄機として機能する機器本体と、前記空気吸込口および前記空気吹出口に対応する開口が形成されると共に、当該空気清浄機の外観を決定する外側カバーとを備え、前記外側カバーは、前記内側カバーの外側に装着されると共に、前記機器本体に対して着脱自在に設けられ、前記機器本体は、当該機器本体の下部に配置され、前記空気吸込口から空気を吸い込む送風部と、前記送風部にて吸い込まれた空気を当該機器本体の上部に位置する前記空気吹出口へと導く風路と、前記風路に面して配され、空気を浄化する活性種あるいは前記活性種を生成させるイオンを発生させる活性種発生部と、前記風路に面して配され、前記活性種発生部にて発生された活性種あるいはイオンを検出する検出部と、を備え、前記送風部は、空気の出口が当該空気清浄機の背面寄りに位置するように配置され、前記風路は、前記送風部の出口から前記空気吹出口へと至る部分が当該空気清浄機の背面側から正面側に向かって傾斜し、前記風路の傾斜した部分の正面側に前記活性種発生部が配置され、前記風路の傾斜した部分の背面側に前記検出部が配置されていることを特徴としている。
【発明の効果】
【００１０】
本発明の一態様によれば、外側カバーを新しく開発するだけで簡単にマイナーチェンジを行うことができ、また、機器本体から外側カバーを簡単に外すことができるので、ユーザ側で外側カバーを交換して、空気清浄機の外観を変更することもできるという効果を奏する。
【図面の簡単な説明】
【００１１】
【図１】本発明の実施の一形態に係るポータブル型空気清浄機を車内のドリンクホルダーに収容した状態を示す斜視図である。
【図２】上記空気清浄機の外観構成を示す斜視図である。
【図３】上記空気清浄機における機器本体の右側を斜め上方より見た斜視図である。
【図４】上記空気清浄機における外観カバーを示す図であり、（ａ）は下部カバーを斜め上方より見た斜視図、（ｂ）は下部カバーを斜め下方より見た斜視図、（ｃ）は上部カバーを斜め上方より見た斜視図である。
【図５】上記機器本体に上部カバーと下部カバーとを取り付ける様子を示す説明図である。
【図６】本発明のその他の実施の一形態のポータブル型空気清浄機の内部構造を示す図であり、空気清浄機の中心を通り、空気清浄機を左右に分断する平面で切った縦断面図である。
【図７】回転数に対する風量を、風路の曲げ位置を変えて調べた結果を示す図である。
【図８】本発明のその他の実施の一形態のポータブル型空気清浄機の外観カバーの内側面の構成を示す一部断面斜視図である。
【図９】上記外観カバーの上部カバーに設けられた突起部を説明する図である。
【発明を実施するための形態】
【００１２】
［実施の形態１］
本発明の実施の一形態について、図面に基づいて説明すれば、以下の通りである。
【００１３】
図１は、本実施形態のポータブル型空気清浄機（以下、空気清浄機）１を自動車内のドリンクホルダー６０に収容した状態を示す斜視図である。空気清浄機１は、空気浄化作用を有する活性種（あるいは該活性種を生成するイオン）を含んだ空気を供給して車内の空気を浄化する。なお、本実施形態では、ドリンクホルダー６０に設置可能な車載用空気清浄機を例示するが、持ち運んで使用できるポータブル型空気清浄機であればよく、さらに言うと、空気清浄機を両手で持ち上げて後述する外観カバーを交換し得る程度の大きさ重さを有する空気清浄機であればよい。
【００１４】
図１に示すように、空気清浄機１は、ドリンクホルダー６０に取り外し可能に設置され、少なくとも下部１ｂ（図２参照）が、ドリンクホルダー６０に嵌る形状、ここでは円柱形状に形成されている。
【００１５】
なお、図１の例では、運転者から見て斜め前方に取り付けられているドリンクホルダー６０に設置した状態を例示しているが、運転席と助手席との間のラゲッジスペースに設けられたドリンクホルダーや、後部座席用に設けられたドリンクホルダーなどに設置することもできる。また、ドリンクホルダーも、最初から車に標準装備されたものに限らず、市販店にて購入できる後付けタイプのものであってもよい。
【００１６】
空気清浄機１への給電は、図１に示すように、シガーソケット６１から行う構成としてよいし、ＵＳＢポートを有する自動車であれば、ＵＳＢポートから行う構成としてもよい。その他、電池やバッテリーを搭載させてもよい。以下、空気清浄機１の詳細な構成について説明する。
【００１７】
図２は、空気清浄機１の外観を示す斜視図である。図２に示すように、空気清浄機１の下部１ｂは、ドリンクホルダー６０（図１参照）に嵌る円柱形状に形成されている。ドリンクホルダー６０から突き出る空気清浄機１の上部１ａは、下部１ｂと滑らかに繋がると共に上方に向かってやや広がる円柱形状に形成され、外周面の正面（空気清浄機１の正面）に、エンブレム３が貼り付けられている。
【００１８】
空気清浄機１の天面１ｃは、背面側から正面側（エンブレム３のある側）に向かって低くなるように傾斜しており、正面寄りに、イオン吹出口（空気吹出口）１２を塞ぐ三日月型の開閉蓋１１が設けられている。また、天面１ｃには、空気清浄機１の運転モードの切り換え指示を受け付けたり、運転状態を点灯状態で表示したりする操作表示部２５も設けられている。
【００１９】
なお、図２では、空気清浄機１の上部１ａおよび下部１ｂの形状を何れも円柱形状としたが、これに限るものではない。上部１ａについては、三角柱形状や四角柱形状、球形状など、どのような形状であってもよい。下部１ｂについては、安定性から言って円柱形状が最も望ましいが、ドリンクホルダー６０に嵌る形状であれば、例えば直方体形状などであってもよい。
【００２０】
このような空気清浄機１は、単独で空気清浄機として使用できる機器本体１０を備え、該機器本体１０に、着脱自在に設けられた外観カバー（外側カバー）３０が装着されている。外観カバー３０は、空気清浄機１の外観を決定するものである。本実施形態では、外観カバー３０は、空気清浄機１の上部１ａに配置される上部カバー（分割されたカバー）３１と、空気清浄機１の下部１ｂに配置される下部カバー（分割されたカバー）３２とに分割されている。
【００２１】
図３は、空気清浄機１における機器本体１０の右側を斜め上方より見た斜視図である。図４は、空気清浄機１における外観カバー３０を示す図であり、（ａ）は上部カバー３１を斜め上方より見た斜視図、（ｂ）は下部カバー３２を斜め上方より見た斜視図、（ｃ）は下部カバー３２を斜め下方より見た斜視図である。
【００２２】
図３に示すように、機器本体１０は、天面１０ｃが傾斜した円柱形状をなし、外観カバー３０が取り外された状態で自立するよう構成されている。天面１０ｃは、前述した空気清浄機１の天面１ｃの一部を構成しており、上述した開閉蓋１１や操作表示部２５が設けられている。
【００２３】
機器本体１０は、樹脂成形品からなる内部支持体１３を有しており、内部支持体１３の上面が天面１０ｃに相当する。送風機や、イオン発生部、イオンセンサ、制御基板等の複数の構成部品は、この内部支持体１３に組み付けられている。内部支持体１３は、これら構成部品が組み付けのために外表に露出する部分を除いて極力、機器本体１０を覆うように構成されており、機器本体１０の天面１０ｃ、底面、外周面を覆う内側カバーとしても機能している。
【００２４】
機器本体１０の下部１０ｂに位置する内部支持体１３下部は、有底の円筒型に形成されており、外周面に複数の円弧状のスリット孔からなる空気吸込口１４が形成されている。内部支持体１３下部の底面部（機器本体１０の底部）の縁には、後述する下部カバー３２の下円環部３２ａが当接する環状段差部１３ａが形成されている。内部支持体１３下部の内部には、送風機（送風部）が設置されており、送風機のファンが回転することで、空気吸込口１４から機器本体１０内部に空気が吸い込まれる。
【００２５】
機器本体１０の上部１０ａに位置する内部支持体１３上部には、空気吸込口１４から機器本体１０内部に吸い込まれた空気をイオン吹出口１２へと導く風路が形成されており、該風路に面するように、イオン発生部（活性種発生部）１５、イオンセンサ（図示せず）などが取り付けられている。
【００２６】
外観カバー３０における上部カバー３１は、図４の（ａ）に示すように、円筒型に形成されており、機器本体１０の上部１０ａの外寸よりも若干大きい内寸を有している。上部カバー３１における上端部は、機器本体１０の天面１０ｃに対応した傾斜を有している。さらに、上部カバー３１における上端部には、円筒の中心に向かってすり鉢状に窄んだ上円環部３１ａが嵌め込まれている。該上円環部３１ａの下端が、機器本体１０の天面１０ｃの外周部に当接し、上円環部３１ａの開口３１ｂから、天面１０ｃに設けられた開閉蓋１１や操作表示部２５が露出する。
【００２７】
図４の（ｂ）（ｃ）に示すように、外観カバー３０の下部カバー３２も、円筒型に形成されており、機器本体１０の下部１０ｂの外寸よりも若干大きい内寸を有している。下部カバー３２の外周面には、機器本体１０の空気吸込口１４に対応する複数の円弧状のスリット孔からなる空気吸込口（開口）３３が形成されている。下部カバー３２の内側には、空気吸込口３３を覆うように、塵埃除去用のフィルタ（図示せず）が取り付けられている。また、下部カバー３２の下端には、円筒の中心に向かって水平に延設されてなる下円環部３２ａが形成されている。この下円環部３２ａが機器本体１０の底面部に形成された環状段差部１３ａに当接する。
【００２８】
そして、これら上部カバー３１と下部カバー３２の各突き合させ部分には、例えば凹部とロック爪とかなる係合部（図示せず）が複数設けられており、係合による接続（一体化）と係合解除による分離とが可能となっている。上部カバー３１、下部カバー３２の少なくとも何れか一方が樹脂成形品からなる構成であれば、スナップフィット係合により、係合およびその解除を簡単に行うことができる。
【００２９】
図５は、機器本体１０に上部カバー３１と下部カバー３２とを取り付ける様子を示す説明図である。図５に示すように、上部カバー３１を、その上端部の傾斜と機器本体１０の天面１０ｃの傾斜とが合うように位置を合わせて、機器本体１０の上方から機器本体１０の上部１０ａに被せる。同様に、下部カバー３２を、その空気吸込口３３と機器本体１０側の空気吸込口１４との位置を合わせて、機器本体１０の下方から下部１０ｂに被せる。そして、上部カバー３１と下部カバー３２とで、機器本体１０を上下から挟み込んだ状態で、上部カバー３１と下部カバー３２とを係合させる。これにより、機器本体１０に外観カバー３０を簡単に装着することができる。
【００３０】
機器本体１０に外観カバー３０を装着させた状態では、上部カバー３１の上円環部３１ａが機器本体１０の天面１０ｃに当接すると共に、下部カバー３２の下円環部３２ａが機器本体１０の底面部の環状段差部１３ａと当接する。したがって、外観カバー３０の装着部分を把持して空気清浄機１を上下に回転させたとしても、機器本体１０が外観カバー３０から抜け落ちたりすることはない。なお、下部カバー３２は、底有の円筒型に形成して、機器本体１０の底面部全体を覆う構成としてもよい。
【００３１】
以上説明したように、本実施形態の空気清浄機１においては、機器本体１０は、内部支持体１３からなる内側カバーを有し、単独で空気清浄機１として機能し、かつ、機器本体１０に対し、空気吸込口３３および開口３１ｂが形成され、内側カバーに沿って装着される外観カバー３０が着脱自在に設けられている。このような構成とすることで、以下に示す(i)〜（iv）の効果を奏し得る。
【００３２】
(i) 外観カバー３０のみの変更によって、商品の見た目の印象を大きく変えることができるので、簡単にマイナーチェンジを行うことが可能となる。場合によっては、外観カバーの材質そのものを変えて、まったく違う印象にすることも可能である。
【００３３】
(ii) 機器本体１０から外観カバー３０を簡単に外すことができるので、ユーザ側で外観カバー３０を交換して、空気清浄機１の外観を変更するといったことも可能になる。近年スマートフォンに代表されるように、商品の外観にユーザ自ら加飾を施したり、カバーを購入したりして自分流の味付けを行うことが行われているが、上記構成により、製品メーカやアフターマーケットメーカーから発売された外観カバー３０を購入して交換することで、スマートフォンのように自分だけの空気清浄機１として楽しむことができる。
【００３４】
(iii) 機器本体１０は内側カバーを有しており、単独でも空気清浄機として機能し得るので、まったく別カテゴリの製品に組み込むことも可能である。
【００３５】
(iv) 内側カバーと外観カバー３０との二重カバー構成としたことで、内側カバーと外観カバー３０との間にできる隙間によりマージンが確保され、静電気等にも強くできる。
【００３６】
また、本実施形態の空気清浄機１においては、前記外観カバー３０は分割されており、上部カバー３１と下部カバー３２とで機器本体１０を込み、上部カバー３１と下部カバー３２とを係合させることで外観カバー３０が機器本体１０に装着されるようになっている。
【００３７】
このような構成とすることで、外観カバー３０を機器本体１０に固定させるための固定機構等を機器本体１０側に設ける必要が一切ない。したがって、機器本体１０側の固定機構との関係等を考慮することなく外観カバー３０を設計でき、外観カバー３０の設計の自由度を高めることができる。
【００３８】
さらに、本実施形態の空気清浄機１においては、外観カバー３０は上下に分割され、下部カバー３２に、機器本体１０の空気吸込口１４に対応した空気吸込口３３が形成されている。
【００３９】
空気吸込口３３には、空気と一緒に吸込まれた埃等が付着しやすく、定期的に清掃する必要がある。このような構成とすることで、機器本体１０から下部カバー３２だけを外して水洗いすることができ、メンテナンスが容易に行える。
【００４０】
なお、本実施の形態では、外観カバー３０を上下に分割したが、左右に分割してもよく、また、分割しない構成であってもよい。また、ポータブル型空気清浄機としては、活性種発生型に限らず、空気を吸込み、浄化フィルタ等で浄化してから放出するタイプの空気清浄機であってもよい。
【００４１】
［実施の形態２］
本発明のその他の実施の一形態について、図６、図７を参照して説明する。本実施の形態では、上述した実施の形態１の空気清浄機１の特徴的な内部構成について説明する。但し、以下に説明する特徴的な内部構成は、実施の形態１で説明した２重カバー構造と組み合わせることが好ましいが、１重カバー構造に適応することももちろん可能である。
【００４２】
図６は、空気清浄機１の内部構造を示す図であり、空気清浄機１の中心を通り、空気清浄機１を左右に分断する平面で切った縦断面図である。図６に示すように、空気清浄機１における機器本体１０内部には、送風機（送風部）１６、風路１７、ダクト１９、イオン発生部１５、イオンセンサ１８、基板（図示せず）などが配設されている。
【００４３】
風路１７は、機器本体１０の下部１０ｂ（内部支持体１３下部）に形成された空気吸込口１４と、イオン吹出口１２とを連通するものである。送風機１６、イオン発生部１５、イオンセンサ１８は、風路１７に配設されており、風の流れる方向に沿って、送風機１６、イオン発生部１５、イオンセンサ１８の順に配置されている。
【００４４】
送風機１６は、ケーシング部１６ａと、このケーシング部１６ａに固定されたモータ１６ｂと、このモータ１６ｂによって回転するファン１６ｃとを備えている。送風機１６は、ファン１６ｃを回転させることで、空気吸込口３３、３４を介して外部の空気を吸い込み、ダクト１９に送り込む。ここで、送風機１６は、空気の出口が背面寄りに位置するように設置されている。
【００４５】
ダクト１９は、風路１７の一部を構成するものであり、送風機１６の出口とイオン吹出口１２とを連通する。本実施形態では、ダクト１９は、送風機１６の出口側で緩やかに曲げられており、送風機１６の出口からイオン吹出口１２に向かうにつれて正面側へと傾斜している。
【００４６】
イオン発生部１５は、放電部１５ａを備え、放電により放電部１５ａから、空気浄化作用を有する活性種を生成する、正イオンと負イオンの一方または両方を発生させるものである。イオン発生部１５は、放電部１５ａが風路１７（ダクト１９）に面して配設され、発生させたイオンは、風路１７（ダクト１９）を流れる風に乗ってイオン吹出口１２からイオン風として放出される。
【００４７】
イオンセンサ１８は、センシング部１８ａにて風路１７（ダクト１９）を流れる空気に含まれるイオン（イオン発生部１５から発生されたイオン）を検出して、イオン発生部１５からのイオンの発生を確認するものである。イオンセンサ１８は、センシング部１８ａが風路１７（ダクト１９）に面して配設される。
【００４８】
基板は、空気清浄機１を制御するもので、操作表示部２５、開閉蓋１１、送風機１６、イオン発生部１５、およびイオンセンサ１８などの動作を制御するものである。
【００４９】
イオン吹出口１２を覆う開閉蓋１１は、開いた状態でダクト１９の延長線上の傾斜を有しており、ルーバーとして機能する。また、上部カバー３１に設けられたすり鉢状の上円環部３１ａの正面側内周面３１ａ’も、ダクト１９の延長線上の傾斜を有している。これら開閉蓋１１および正面側内周面３１ａ’により、イオン吹出口１２から吹き出された風は、進行方向を保持し、空気清浄機１の正面斜め上方へとイオン風を吹出す。
【００５０】
このような構成において、注目すべきは、ダクト１９を送風機１６の出口側で緩やかに曲げて傾斜させると共に、機器本体１０内部に、側面から見てそれぞれ三角形状をなす正面側空間Ｓ１と背面側空間Ｓ２とが形成され、このうちの正面側空間Ｓ１にイオン発生部１５が配置され、背面側空間Ｓ２にイオンセンサ１８が配置されている点である。このような構成とすることで、以下に示す(v)〜（vii）の効果を奏し得る。
【００５１】
(v) ダクト１９を送風機１６の出口側で緩やかに曲げたことで、イオン吹出口１２近傍で曲げる構成に比べて、同じ回転数でも大きい風量を確保することができ、風切り音も軽減することができる。
【００５２】
図７は、回転数に対する風量を、風路の曲げ位置を変えて調べた結果を示す図である。図７に示すように、イオン吹出口１２近傍で曲げる構成に比べて、送風機１６の出口近傍で曲げた構成では、同じ回転数でも大きい風量を確保することができる。特に、低い回転数において風量を確保できる。
【００５３】
これによれば、イオン吹出口１２からの風量を同じとした場合に、より静かな運転（風切り音の小さい運転）を実現することができる。また、風切り音には、ファン１６ｃによるもの以外に、風路を曲げる箇所で発生する音もある。上記構成では、風路がイオン吹出口１２から離れた深い位置で曲げられているので、風路を曲げる箇所で発生する音が外部に漏れにくく、これによっても風切り音を小さくすることができる。
【００５４】
（vi）ダクト１９を送風機１６の出口側で緩やかに曲げたことで、イオン吹出口１２近傍で曲げる構成に比べて、イオン発生部１５で発生されたイオン等の損失を減らすことができる。これにより、イオン吹出口１２からの風量が同じであっても、より多くのイオンを含むイオン風を吹出させることができる。
【００５５】
（vii）送風機１６は、その構成上、風の出口が片側に寄っている。そのため、その出口とイオン吹出口１２とを曲げずに連通させると、風路が形成される風の出口側とは反対側が開きスペースとなり、ここに、イオン発生部１５やイオンセンサ１８等を配置することとなる。しかしながら、その場合、イオンセンサ１８は機能上、イオン発生部１５の下流側に配置する必要があるため、風路の一方側にイオン発生部１５とイオンセンサ１８とを上下に並べて配置しなければならず、縦方向のサイズが大きくなってしまう。
【００５６】
これに対し、図６に示すように、上記構成では、傾斜したダクト１９にて形成される正面側空間Ｓ１と背面側空間Ｓ２とに、イオン発生部１５とイオンセンサ１８とを分けて配置している。これにより、イオン発生部１５とイオンセンサ１８とを、放電部１５ａの下流側にセンシング部１８ａが位置する条件さえ満たせば、上下に重ねて配置することができるので、高さを低くすることが可能となる。
【００５７】
また、上記構成によれば、ダクト１９を傾斜させると共に、イオン吹出口１２は機器本体１０の天面１０ｃにおける空気清浄機１の正面寄りに位置し、機器本体１０の天面１０ｃを、空気清浄機１の背面側から正面側に向かうにつれて低くなるように傾斜させている。
【００５８】
このように天面１０ｃ（空気清浄機１の天面１ｃ）を傾斜させたことで、円柱形状を維持する構成よりもコンパクトにでき、かつ、イオン吹出口１２から吹き出すイオン風の方向を空気清浄機１の天面１ｃの法線方向に合わせることができる。天面１ｃには、操作表示部等が設けられることが多いので、イオン風の方向を空気清浄機１の天面１ｃの法線方向に合わせておくことで、自然な使い勝手感が得られる。
【００５９】
［実施の形態３］
本発明のその他の実施の一形態について、図８、図９を参照して説明する。本実施の形態では、上述した実施の形態１の空気清浄機１における外観カバー３０のより好ましい構成について説明する。
【００６０】
図８は、より好ましい外観カバー３０Ａの内側面の構成を示す一部断面斜視図である。図９は、外観カバー３０Ａの上部カバー３１Ａに設けられた突起部３６を説明する図である。図８に示すように、外観カバー３０Ａの内側面であって、イオン発生部１５が搭載される高さ位置には、ノイズ対策のためにシールド膜３５が貼り付けられる。シールド膜３５は、銅箔などからなり、貼り合わせの端の部分を刮ぐように固いものが接触すると、剥がれる恐れがある。本実施形態の空気清浄機１では、前述したように、上部カバー３１Ａに機器本体１０を被せる、換言すると、機器本体１０を上部カバー３１Ａに差し込むように挿入する。そのため、装着時に、機器本体１０の角が接触してシールド膜３５が剥がれる恐れがある。
【００６１】
そこで、図８に示すように、上部カバー３１Ａでは、シールド膜３５の端の部分に突起部３６を設けている。突起部３６は、図９に示すように、機器本体１０の挿入方向に向かうにつれて、機器本体１０を上部カバー３１の内側面から離間させる方向に傾斜している。これにより、機器本体１０の角がシールド膜３５の端に接触することを回避して、シールド膜３５の剥がれを防止することができる。
【００６２】
〔まとめ〕
本発明の態様１に係るポータブル型空気清浄機１は、空気吸込口１４および空気吹出口（イオン吹出口１２）が形成された内側カバー（内部支持体１３）を有し、単独で空気清浄機として機能する機器本体１０と、前記空気吸込口１４および前記空気吹出口に対応する開口（空気吸込口３３、開口３１ｂ）が形成されると共に、当該空気清浄機１の外観を決定する外側カバー（外観カバー３０）とを備え、前記外側カバーは、前記内側カバーの外側に装着されると共に、前記機器本体１０に対して着脱自在に設けられている。
【００６３】
上記構成によれば、外観カバーを変更するだけでマイナーチェンジでき、また、ユーザ側で外観カバーを交換して、空気清浄機１の外観を変更するといったことも可能になる。
【００６４】
本発明の態様２に係るポータブル型空気清浄機１は、さらに、前記外側カバーは分割されており、該分割したカバー同士で前記機器本体１０を挟み込むと共に、該分割したカバー同士を係合させることで、前記外側カバーが前記機器本体１０に装着される構成とすることもできる。
【００６５】
上記構成によれば、外側カバーを機器本体１０に固定させるための固定機構等を機器本体側に設ける必要がないので、機器本体１０側の固定機構との関係等を考慮することなく外側カバーを設計でき、外側カバーの設計の自由度を高めることができる。
【００６６】
本発明の態様３に係るポータブル型空気清浄機１は、さらに、前記外側カバーは上下に分割され、分割された下側のカバーに前記空気吸込口に対応した開口が形成されている構成とすることもできる。
【００６７】
空気吸込口３３は、空気と一緒に吸込まれた埃等が付着しやすく、定期的に清掃する必要がある。このような構成では、機器本体１０の下部を覆っている、下側のカバーだけを外して洗うことができ、メンテナンスが容易になる。
【００６８】
本発明の態様４に係るポータブル型空気清浄機１は、さらに、前記機器本体１０は、当該機器本体１０の下部１０ｂに配置され、前記空気吸込口１４から空気を吸い込む送風部（送風機１６）と、前記送風部にて吸い込まれた空気を当該機器本体１０の上部に位置する前記空気吹出口（イオン吹出口１２）へと導く風路１７と、前記風路１７に面して配され、空気を浄化する活性種あるいは前記活性種を生成させるイオンを発生させる活性種発生部（イオン発生部１５）と、前記風路１７に面して配され、前記活性種発生部にて発生された活性種あるいはイオンを検出する検出部（イオンセンサ）と、を備え、前記送風部は、空気の出口が当該空気清浄機１の背面寄りに位置するように配置され、前記風路１７は、前記送風部の出口から前記空気吹出口へと至る部分（ダクト１９）が当該空気清浄機１の背面側から正面側に向かって傾斜し、前記風路１７の傾斜した部分の正面側に前記活性種発生部が配置され、前記風路１７の傾斜した部分の背面側に前記検出部が配置されている構成とすることもできる。
【００６９】
上記構成によれば、圧力損失を少なくして風量を確保し、風切り音を軽減させることができ、しかも、風量を同じとしてより多くのイオンを含むイオン風を吹出させることができる。さらに、空気清浄機の高さを低くして、よりコンパクトにできる。
【００７０】
本発明の態様５に係るポータブル型空気清浄機１は、さらに、前記空気吸込口は前記機器本体１０の天面１０ｃにおける、当該空気清浄機１の正面寄りに位置し、前記機器本体１０の天面１０ｃが、当該空気清浄機１の背面側から正面側に向かうにつれて低くなるように傾斜している構成とすることもできる。
【００７１】
上記構成によれば、天面１０ｃ（空気清浄機１の天面１ｃ）を傾斜させたことで、円柱形状を維持する構成よりも空気清浄機１をコンパクトにでき、かつ、空気吹出口から吹き出す風の方向を空気清浄機１の天面１ｃの法線方向に合わせることができる。天面１ｃには、操作表示部等が設けられることが多いので、イオン風の方向を空気清浄機１の天面１ｃの法線方向に合わせておくことで、自然な使い勝手感が得られる。
【００７２】
本発明は上述した各実施の形態に限定されるものではなく、種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【００７３】
１  ポータブル型空気清浄機
１０  機器本体
１１  開閉蓋
１２  イオン吹出口（空気吹出口）
１３  内部支持体（内側カバー）
１４  空気吸込口
１５  イオン発生部
１６  送風機（送風部）
１７  風路
１８  イオンセンサ（検出部）
２５  操作表示部
３０、３０Ａ  外観カバー（外側カバー）
３１ａ  上円環部
３１ａ’  正面側内周面
３１ｂ  開口
３２  下部カバー
３３  空気吸込口（開口）
３５  シールド膜
３６  突起部
６０  ドリンクホルダー
Ｓ１  正面側空間
Ｓ２  背面側空間
【図１】
0006656887.tif 000002
【図２】
0006656887.tif 000003
【図３】
0006656887.tif 000004
【図４】
0006656887.tif 000005
【図５】
0006656887.tif 000006
【図６】
0006656887.tif 000007
【図７】
0006656887.tif 000008
【図８】
0006656887.tif 000009
【図９】
0006656887.tif 000010